(57)【要約】【課題】地下鉄又は地下街等の日光の届かない場所で災害が発生し、送電が遮断された際に、出口へ通ずる階段の位置を容易に知ることができる地下誘導灯装置を提供する。【解決手段】地下鉄又は地下街から、地上への階段Ｓに於ける最下段部１の鉛直壁面２に、地下雰囲気が暗くなると点灯する誘導灯３を、埋設する。【選択図】  図１
2005032445.tif 000002
【特許請求の範囲】
【請求項１】
地下鉄又は地下街から、地上への階段（Ｓ）に於ける最下段部（１）の鉛直壁面（２）及び／又は上記階段（Ｓ）の手摺り（Ｔ）の下部鉛直壁面（１１）に、地下雰囲気が暗くなると点灯する誘導灯（３）を、埋設したことを特徴とする地下誘導灯装置。
【請求項２】
地下鉄又は地下街から、地上への階段（Ｓ）に於ける最下段部（１）の鉛直壁面（２）及び／又は上記階段（Ｓ）の手摺り（Ｔ）の下部鉛直壁面（１１）に、地下雰囲気が暗くなると点灯する誘導灯（３）を、埋設した地下誘導灯装置であって、裏面（６）に多数の凸部（７）を有するレンズ板（８）を、上記誘導灯（３）が表て面（１０）側に有することを特徴とする地下誘導灯装置。
【請求項３】
地下鉄又は地下街から、地上への階段（Ｓ）に於ける最下段部（１）の鉛直壁面（２）に、地下雰囲気が暗くなると点灯する誘導灯（３）を、埋設した地下誘導灯装置であって、上記誘導灯（３）の表て面（１０）を上記鉛直壁面（２）よりも僅かに後方へ配設したことを特徴とする地下誘導灯装置。
【発明の詳細な説明】
【０００１】
【発明の属する技術分野】
本発明は、地下誘導灯装置（地下誘導設備構造）に関する。
【０００２】
【従来の技術】
一般に、非常口には、その出口が非常口であることを示す誘導灯が設けられている。
【０００３】
【発明が解決しようとする課題】
しかし、地下鉄又は地下街等の日光の届かない場所で、災害により、送電が遮断された場合、辺りは全くの暗闇となり、その場にいる人は、どちらへ逃げて良いか分からなくなる。特に、煙が発生していると、人は、地面を這って逃げなければならず、その際、出口へ通ずる階段がどこにあるか分からず、右往左往していた。つまり、従来の誘導灯は、通路より高い位置に設けられており、煙や埃が舞上ると見えにくくなるという欠点があった。
【０００４】
そこで、本発明は、地下鉄又は地下街等の日光の届かない場所で災害が発生し、照明への送電が遮断された際に、出口へ通ずる階段の位置を容易に知ることができる地下誘導灯装置を提供することを目的とする。特に、煙が発生している場合に、煙を避けてうつむいて這って逃げるとき、目について、出口へ通ずる階段の位置を容易に知ることができ、命が救われる地下誘導灯装置を提供することを目的とする。また、前方を強烈な光の強さで照らして目につき易い地下誘導灯装置（地下誘導設備構造）を提供することを他の目的とする。
【０００５】
【課題を解決するための手段】
上述の目的を達成するために、本発明に係る地下誘導灯装置（地下誘導設備構造）は、地下鉄又は地下街から、地上への階段に於ける最下段部の鉛直壁面及び／又は上記階段の手摺りの下部鉛直壁面に、地下雰囲気が暗くなると点灯する誘導灯を、埋設したものである。
【０００６】
また、地下鉄又は地下街から、地上への階段に於ける最下段部の鉛直壁面及び／又は上記階段の手摺りの下部鉛直壁面に、地下雰囲気が暗くなると点灯する誘導灯を、埋設した地下誘導灯装置であって、裏面に多数の凸部を有するレンズ板を、上記誘導灯が表て面側に有するものである。
【０００７】
また、地下鉄又は地下街から、地上への階段に於ける最下段部の鉛直壁面に、地下雰囲気が暗くなると点灯する誘導灯を、埋設した地下誘導灯装置であって、上記誘導灯の表て面を上記鉛直壁面よりも僅かに後方へ配設したものである。
【０００８】
【発明の実施の形態】
以下、実施の形態を示す図面に基づき、本発明を詳説する。
【０００９】
図１は、本発明の実施の第１の実施の形態を示す。この地下誘導灯装置（地下誘導設備）Ｕは、地下鉄又は地下街等の日光の届かない場所Ｎで災害が発生し、照明（図示省略）への送電が遮断された際に、点灯し、出口（図示省略）へ通ずる階段Ｓの位置を示す。地下誘導灯装置Ｕの表て面Ｕ１  には、人が走って逃げる絵Ｐが描かれている。なお、矢印やその他の誘導のための図や記号や文字を表示しても良い。
【００１０】
具体的には、地下鉄又は地下街から、地上への階段Ｓに於ける最下段部１の鉛直壁面２に、地下雰囲気が暗くなると点灯する誘導灯３が、埋設されている。
【００１１】
図２に示すように、誘導灯３は、バッテリー４、光を感知するセンサー５を有する。５は光を感知するセンサーを示す。地下雰囲気が暗くなると、センサー５が感知して、バッテリー４により、誘導灯３が点灯する。すなわち、地下雰囲気が暗い時のみランプ９（図３参照）が通電される。そして、電力を節約することができる。
【００１２】
図３に示すように、誘導灯３はランプ９を有する。また、誘導灯３は、裏面６に多数の凸部７を有するレンズ板８を、表て面１０側に有する。すなわち、レンズ板８は、ストップ灯、フラッシャー灯等の集光用レンズから成る。ランプ９から発せられた光は、レンズ板８によって集光され、レンズ板８を具備しない場合と比較して、より容易に誘導灯３を見付けることができる。
【００１３】
図４に示すように、誘導灯３の表て面１０は最下段部１の鉛直壁面２よりも僅かに後方───すなわち、図４の右方───へ配設される。「僅かに」とは、例えば、５ｍｍ以上２０ｍｍ以下の所定寸法とする。人が、階段Ｓを登る際に、誘導灯３を蹴って損傷を与えることがないので、誘導灯３が非常時にも適切にその役割を果たすことができる。
【００１４】
図５は、第２の実施の形態を示す。地下鉄又は地下街から、地上への階段Ｓの手摺りＴの下部鉛直壁面１１に、地下雰囲気が暗くなると点灯する誘導灯３が、埋設されている。
【００１５】
なお、本発明は、設計変更可能であって、例えば、地下鉄又は地下街から、地上への階段Ｓに於ける最下段部１の鉛直壁面２及び階段の手摺りＴの下部鉛直壁面１１に、地下雰囲気が暗くなると点灯する誘導灯３を、埋設するも良い。なお、手摺りＴの下部鉛直壁面１１とは、手摺りＴの複数の上下の柱部の内で、最下位置の柱部の前面の鉛直壁面を指す。
【００１６】
【発明の効果】
本発明は、上述の如く構成されるので、次に記載する効果を奏する。
【００１７】
（請求項１，２，３によれば）地下鉄又は地下街等の日光の届かない場所Ｎで災害が発生し、照明への送電が遮断された際に、出口へ通ずる階段Ｓの位置を容易に知ることができる。特に、煙が発生している場合に、煙を避けてうつむいて這って逃げるとき、誘導灯３が低い位置で点灯しているので、目について、出口へ通ずる階段Ｓの位置を容易に知ることができ、命が救われる。また、従来のように高い位置に照明灯があった場合には、煙や埃が舞上って見えにくくなったのを、解決して、低い位置にある誘導灯３を見付けやすい。
【００１８】
（請求項２によれば）光がレンズ板８によって集光され、前方を強烈な光の強さで照らすので、より容易に誘導灯３を見付けることができる。
【００１９】
（請求項３によれば）人が、階段Ｓを登る際に、誘導灯３を蹴って損傷を与えることがないので、誘導灯３が非常時にも適切にその役割を果たすことができる。すなわち、出口に通ずる階段Ｓの位置を確実に示すことができる。
【図面の簡単な説明】
【図１】本発明の第１の実施の形態を示す斜視図である。
【図２】正面図である。
【図３】断面平面図である。
【図４】断面側面図である。
【図５】第２の実施の形態を示す斜視図である。
【符号の説明】
１  最下段部
２  鉛直壁面
３  誘導灯
６  裏面
７  凸部
８  レンズ板
１０  表て面
１１  下部鉛直壁面
Ｓ  階段
Ｔ  手摺り
【図１】
2005032445.tif 000003
【図２】
2005032445.tif 000004
【図３】
2005032445.tif 000005
【図４】
2005032445.tif 000006
【図５】
2005032445.tif 000007